(57)【要約】【課題】部品数を低減することにより、簡易な構造のプッシュスイッチを提供することを目的とする。【解決手段】第１ラチェット歯が設けられている操作体２と、第１カム山が円周方向に配設されている昇降カム部材４と、第１ラチェット歯と係合する第２ラチェット歯と第１カム山と係合する第２カム山を有する回転カム部材５と、回転カム部材５の回転に伴い接触部が対向する端子と接離する可動接触部材６と、操作体２と昇降カム部材４との間に配置されている弾性部材３と、を備え、操作体２の第１ラチェット歯と回転カム部材５の第２ラチェット歯が係合するように操作体２が押圧されると、回転カム部材５が第１所定角度回転し、操作体２の押圧が解除されると、弾性部材３の付勢力により昇降カム部材４が回転カム部材５を押圧することにより、回転カム部材５が第２所定角度回転するように構成されている、プッシュスイッチ。【選択図】図２
2019071166.tif 000002
【特許請求の範囲】
【請求項１】
軸心方向に移動可能に構成され、第１ラチェット歯が設けられている操作体と、
前記軸心方向に移動可能に構成され、第１傾斜面と第２傾斜面を有する第１カム山が円周方向に配設されている昇降カム部材と、
前記第１ラチェット歯と係合する第２ラチェット歯と前記第１カム山と係合する第２カム山を有し、前記円周方向に回転可能に構成されている回転カム部材と、
接触部を有し、前記回転カム部材の回転に伴い前記接触部が対向する端子と接離するように構成されている可動接触部材と、
前記操作体と前記昇降カム部材との間に配置されている弾性部材と、を備え、
前記操作体の前記第１ラチェット歯と前記回転カム部材の前記第２ラチェット歯が係合するように前記操作体が押圧されると、前記回転カム部材が第１所定角度回転し、前記操作体の押圧が解除されると、前記弾性部材の付勢力により前記昇降カム部材が前記回転カム部材を押圧することにより、前記回転カム部材が第２所定角度回転するように構成されている、プッシュスイッチ。
【請求項２】
前記第２カム山は、前記第１傾斜面と当接する第３傾斜面と、前記第２傾斜面と当接する第４傾斜面と、を有し、
前記昇降カム部材は、前記回転カム部材が前記第１所定角度回転するときに、前記第３傾斜面が前記第１傾斜面から離間するまでは、前記操作体の押圧方向と反対方向に移動し、前記第４傾斜面が前記第２傾斜面と当接すると、前記操作体の押圧方向に移動するように構成されている、請求項１に記載のプッシュスイッチ。
【請求項３】
前記昇降カム部材は、前記第１傾斜面が前記第２傾斜面よりも傾斜角度が小さくなるように形成されている、請求項１又は２に記載のプッシュスイッチ。
【請求項４】
前記昇降カム部材は、前記第１傾斜面が前記第２傾斜面よりも外周側に配置されている、請求項１〜３のいずれか１項に記載のプッシュスイッチ。
【請求項５】
前記第２カム山は、前記第１傾斜面と当接する第３傾斜面と前記第２傾斜面と当接する第４傾斜面とを有し、
前記回転カム部材は、前記第３傾斜面が前記第４傾斜面よりも傾斜角度が小さくなるように形成されている、請求項１〜４のいずれか１項に記載のプッシュスイッチ。
【請求項６】
前記第２カム山は、前記第１傾斜面と当接する第３傾斜面と前記第２傾斜面と当接する第４傾斜面とを有し、
前記回転カム部材は、前記第３傾斜面が前記第４傾斜面よりも外周側に配置されている、請求項１〜５のいずれか１項に記載のプッシュスイッチ。
【発明の詳細な説明】
【技術分野】
【０００１】
本発明は、プッシュスイッチの構造に関するものである。
【背景技術】
【０００２】
操作体へのプッシュ操作により、ラチェット機構を介して、カムフォロワが回転し、当該カムフォロワに連動して回転する作動部材に設けられた可動接点が、固定接点に対して接触又は解離するプッシュスイッチ装置が知られている（例えば、特許文献１参照）。
【０００３】
特許文献１に開示されているプッシュスイッチ装置では、操作体に設けられた第１のラチェット歯と、カムフォロワに設けられた第２のラチェット歯と、の当接音を低減することを目的として、操作体とカムフォロワの間に弾性部材を配置し、カムフォロワと作動部材の間に復帰ばねを配置している。
【先行技術文献】
【特許文献】
【０００４】
【特許文献１】特許第４３２３３０１号公報
【発明の概要】
【発明が解決しようとする課題】
【０００５】
しかしながら、上記特許文献１に開示されているプッシュスイッチ装置では、弾性部材と復帰ばねの２つのばねを配置することにより、部品数が多くなり、構造が複雑となるという課題があった。
【０００６】
本発明は、上記課題を鑑みてなされたものであり、部品数を低減することにより、簡易な構造のプッシュスイッチを提供することを目的とする。
【課題を解決するための手段】
【０００７】
上記従来の課題を解決するために、本発明に係るプッシュスイッチは、軸心方向に移動可能に構成され、第１ラチェット歯が設けられている操作体と、前記軸心方向に移動可能に構成され、第１傾斜面と第２傾斜面を有する第１カム山が円周方向に配設されている昇降カム部材と、前記第１ラチェット歯と係合する第２ラチェット歯と前記第１カム山と係合する第２カム山を有し、前記円周方向に回転可能に構成されている回転カム部材と、接触部を有し、前記回転カム部材の回転に伴い前記接触部が対向する端子と接離するように構成されている可動接触部材と、前記操作体と前記昇降カム部材との間に配置されている弾性部材と、を備え、前記操作体の前記第１ラチェット歯と前記回転カム部材の前記第２ラチェット歯が係合するように前記操作体が押圧されると、前記回転カム部材が第１所定角度回転し、前記操作体の押圧が解除されると、前記弾性部材の付勢力により前記昇降カム部材が前記回転カム部材を押圧することにより、前記回転カム部材が第２所定角度回転するように構成されている。
【０００８】
これにより、部品数を低減することにより、簡易な構造となり、低コストを図ることができる。
【０００９】
本発明の上記目的、他の目的、特徴、及び利点は、添付図面参照の下、以下の好適な実施形態の詳細な説明から明らかにされる。
【発明の効果】
【００１０】
本発明に係るプッシュスイッチによれば、部品数を低減することにより、簡易な構造となり、低コストを図ることができる。
【図面の簡単な説明】
【００１１】
【図１】図１は、本実施の形態１に係るプッシュスイッチの概略構成を模式的に示す斜視図である。
【図２】図２は、図１に示すプッシュスイッチの分解斜視図である。
【図３】図３は、図２に示すプッシュスイッチにおけるカバー部材の概略構成を模式的に示す斜視図である。
【図４】図４は、図２に示すプッシュスイッチにおける操作体の概略構成を模式的に示す斜視図である。
【図５】図５は、図２に示すプッシュスイッチにおける昇降カム部材の概略構成を模式的に示す斜視図である。
【図６】図６は、図２に示すプッシュスイッチにおける昇降カム部材の概略構成を模式的に示す斜視図である。
【図７】図７は、プッシュスイッチにおける回転カム部材の概略構成を模式的に示す斜視図である。
【図８】図８は、プッシュスイッチにおける回転カム部材の概略構成を模式的に示す斜視図である。
【図９】図９は、図２に示すプッシュスイッチにおける操作体、昇降カム部材、回転カム部材、が係合した状態を示す斜視図である。
【図１０】図１０は、図２に示すプッシュスイッチにおける可動接触部材の概略構成を模式的に示す斜視図である。
【図１１】図１１は、図２に示すプッシュスイッチにおけるケース部材の概略構成を模式的に示す斜視図である。
【図１２】図１２は、本実施の形態１に係るプッシュスイッチの動作を模式的に示す説明図である。
【図１３】図１３は、本実施の形態１に係るプッシュスイッチの動作を模式的に示す説明図である。
【図１４】図１４は、本実施の形態１に係るプッシュスイッチの動作を模式的に示す説明図である。
【図１５】図１５は、本実施の形態１に係るプッシュスイッチの動作を模式的に示す説明図である。
【図１６】図１６は、本実施の形態１に係るプッシュスイッチの動作を模式的に示す説明図である。
【図１７】図１７は、本実施の形態１に係るプッシュスイッチの動作を模式的に示す説明図である。
【図１８】図１８は、本実施の形態１に係るプッシュスイッチの動作を模式的に示す説明図である。
【図１９】図１９は、本実施の形態１に係るプッシュスイッチの動作を模式的に示す説明図である。
【発明を実施するための形態】
【００１２】
以下、本発明の実施の形態について、図面を参照しながら説明する。なお、全ての図面において、同一又は相当部分には同一符号を付し、重複する説明は省略する場合がある。また、全ての図面において、本発明を説明するための構成要素を抜粋して図示しており、その他の構成要素については図示を省略する場合がある。さらに、以下の実施の形態によって本発明が限定されるものではない。
【００１３】
（実施の形態１）
本実施の形態１に係るプッシュスイッチは、軸心方向に移動可能に構成され、第１ラチェット歯が設けられている操作体と、軸心方向に移動可能に構成され、第１傾斜面と第２傾斜面を有する第１カム山が円周方向に配設されている昇降カム部材と、第１ラチェット歯と係合する第２ラチェット歯と第１カム山と係合する第２カム山を有し、円周方向に回転可能に構成されている回転カム部材と、接触部を有し、回転カム部材の回転に伴い接触部が対向する端子と接離するように構成されている可動接触部材と、操作体と昇降カム部材との間に配置されている弾性部材と、を備え、操作体の第１ラチェット歯と回転カム部材の第２ラチェット歯が係合するように操作体が押圧されると、回転カム部材が第１所定角度回転し、操作体の押圧が解除されると、弾性部材の付勢力により昇降カム部材が回転カム部材を押圧することにより、回転カム部材が第２所定角度回転するように構成されている。
【００１４】
また、本実施の形態１に係るプッシュスイッチでは、第２カム山は、第１傾斜面と当接する第３傾斜面と第２傾斜面と当接する第４傾斜面とを有し、昇降カム部材は、回転カム部材が第１所定角度回転するときに、第３傾斜面が第１傾斜面から離間するまでは、操作体の押圧方向と反対方向に移動し、第４傾斜面が第２傾斜面と当接すると、操作体の押圧方向に移動するように構成されていてもよい。
【００１５】
また、本実施の形態１に係るプッシュスイッチでは、昇降カム部材は、第１傾斜面が第２傾斜面よりも傾斜角度が小さくなるように形成されていてもよい。
【００１６】
また、本実施の形態１に係るプッシュスイッチでは、昇降カム部材は、第１傾斜面が第２傾斜面よりも外周側に配置されていてもよい。
【００１７】
また、本実施の形態１に係るプッシュスイッチでは、第２カム山は、第１傾斜面と当接する第３傾斜面と第２傾斜面と当接する第４傾斜面とを有し、回転カム部材は、第３傾斜面が第４傾斜面よりも傾斜角度が小さくなるように形成されていてもよい。
【００１８】
さらに、本実施の形態１に係るプッシュスイッチでは、第２カム山は、第１傾斜面と当接する第３傾斜面と第２傾斜面と当接する第４傾斜面とを有し、回転カム部材は、第３傾斜面が第４傾斜面よりも外周側に配置されていてもよい。
【００１９】
以下、本実施の形態１に係るプッシュスイッチの一例について、図１〜図１９を参照しながら説明する
［プッシュスイッチの構成］
図１は、本実施の形態１に係るプッシュスイッチの概略構成を模式的に示す斜視図である。図２は、図１に示すプッシュスイッチの分解斜視図である。なお、図１及び図２において、プッシュスイッチにおける上下方向を図における上下方向として表している。
【００２０】
図１及び図２に示すように、本実施の形態１に係るプッシュスイッチ１００は、カバー部材１、操作体２、弾性部材３、昇降カム部材４、回転カム部材５、可動接触部材６、及びケース部材７を備えていて、操作体２を押圧し、当該押圧を解除することにより、コネクタ端子８〜１０等の各コネクタ端子からＯＮ・ＯＦＦ信号が出力されるように構成されている。また、操作体２〜可動接触部材６は、ケース部材７の内部空間に収納されていて、ケース部材７の上面は、カバー部材１により閉鎖されている。
【００２１】
以下、プッシュスイッチ１００を構成する各部材について、図１〜図１１を参照しながら説明する。
【００２２】
図３は、図２に示すプッシュスイッチにおけるカバー部材の概略構成を模式的に示す斜視図である。図４は、図２に示すプッシュスイッチにおける操作体の概略構成を模式的に示す斜視図である。
【００２３】
また、図５及び図６は、図２に示すプッシュスイッチにおける昇降カム部材の概略構成を模式的に示す斜視図であり、図５は、上方向から見た斜視図であり、図６は、下方向から見た斜視図である。図７及び図８は、プッシュスイッチにおける回転カム部材の概略構成を模式的に示す斜視図であり、図７は、上方向から見た斜視図であり、図８は、下方向から見た斜視図である。
【００２４】
さらに、図９は、図２に示すプッシュスイッチにおける操作体、昇降カム部材、回転カム部材、が係合した状態を示す斜視図である。図１０は、図２に示すプッシュスイッチにおける可動接触部材の概略構成を模式的に示す斜視図である。図１１は、図２に示すプッシュスイッチにおけるケース部材の概略構成を模式的に示す斜視図である。なお、図１１においては、ケース部材７の一部を切断し、その切断した断面を図に示している。
【００２５】
図１〜図３に示すように、カバー部材１は、Ｕ字状に形成されていて、一対の足部１Ａ、足部１Ｂと板状の底部１Ｃを有している。足部１Ａと足部１Ｂの基端部には、それぞれ切り欠き部１Ｄが形成されている。切り欠き部１Ｄは、後述するケース部材７の係合突起部７１と嵌合されることにより、カバー部材１をケース部材７に固定するように構成されている。また、底部１Ｃの主面には、操作体２を挿通させるための貫通孔１Ｅが設けられている。
【００２６】
図１、図２、図４、及び図９に示すように、操作体２は、頭部２１と、略円筒状の本体部２２と、第１ガイド部２３Ａ、２３Ｂと、第１ラチェット歯２４Ａ〜２４Ｄと、を有していて、上下方向に移動可能に構成されている。頭部２１は、首部２１Ａを介して、本体部２２の上面から上方に突出するように設けられていて、略直方体状に形成されている。
【００２７】
本体部２２の外周面には、第２ガイド溝２２Ａ、２２Ｂが設けられている。第２ガイド溝２２Ａ、２２Ｂは、上下方向（本体部２２の軸心方向）に延びるように形成されている。また、第２ガイド溝２２Ａ、２２Ｂは、本体部２２の径方向から見て、互いに対向するように配置されている。
【００２８】
また、本体部２２の下面には、外方にＬ字状に突出する第１ガイド部２３Ａ、２３Ｂが設けられている。第１ガイド部２３Ａ、２３Ｂは、それぞれ、本体部２２の軸心方向から見て、第２ガイド溝２２Ａ、２２Ｂが設けられていない周面２２０Ａ、２２０Ｂと重なるように配置されている。また、第１ガイド部２３Ａ、２３Ｂは、本体部２２の径方向から見て、互いに対向するように配置されている。より詳細には、第１ガイド部２３Ａは、本体部２２の軸心方向から見て、第２ガイド溝２２Ａ、２２Ｂが設けられていない周面２２０Ａ、２２０Ｂのうち、一方の周面２２０Ａの略中央部分に配置されている。また、第１ガイド部２３Ｂは、本体部２２の軸心方向から見て、第２ガイド溝２２Ａ、２２Ｂが設けられていない周面２２０Ａ、２２０Ｂのうち、他方の周面２２０Ｂの略中央部分に配置されている。
【００２９】
第１ガイド部２３Ａは、後述するケース部材７の第１ガイド溝７３Ａに沿って摺動するように構成されている。同様に、第１ガイド部２３Ｂは、ケース部材７の第１ガイド溝７３Ｂに沿って摺動するように構成されている。これにより、操作体２は、第１ガイド溝７３Ａ、７３Ｂにより、軸心方向（上下方向）への移動が案内され、周方向への移動が規制される。
【００３０】
さらに、本体部２２の下面には、周方向に沿って、外方にＬ字状に突出する第１ラチェット歯２４Ａ〜２４Ｄが設けられている。第１ラチェット歯２４Ａ、２４Ｄは、本体部２２の軸心方向から見て、周面２２０Ａと重なるように配置されている。第１ラチェット歯２４Ａは、第１ラチェット歯２４Ｄに対して、後述する回転カム部材５の回転方向（上方から見て、反時計回り）の前方に位置するように配置されている。また、第１ラチェット歯２４Ｂ、２４Ｃは、本体部２２の軸心方向から見て、周面２２０Ｂと重なるように配置されている。第１ラチェット歯２４Ｂは、第１ラチェット歯２４Ｃに対して、後述する回転カム部材５の回転方向の前方に位置するように配置されている。
【００３１】
第１ラチェット歯２４Ａ〜２４Ｄは、それぞれ、その下端面に下方から上方に向かって傾斜する傾斜面が形成されている。より詳細には、第１ラチェット歯２４Ａ〜２４Ｄのそれぞれに形成されている傾斜面は、矢印Ａに示す回転カム部材５の回転方向に進むに従って、下方から上方に向かうように傾斜している。また、第１ラチェット歯２４Ａ〜２４Ｄは、回転カム部材５の第２ラチェット歯５４Ａ〜５４Ｈのいずれかと係合するように構成されている。
【００３２】
なお、本実施の形態１においては、第１ラチェット歯を４つ設ける形態を採用したが、これに限定されず、第１ラチェット歯を１つ設ける形態であってもよく、第１ラチェット歯を２つ以上設ける形態を採用してもよい。
【００３３】
図２、図５、図６、及び図９に示すように、昇降カム部材４は、内筒４１と、外筒４２と、第１ガイド部４３Ｃ、４３Ｄと、第１カム山４５Ａ〜４５Ｈと、を備えていて、上下方向に移動可能に構成されている。
【００３４】
内筒４１及び外筒４２は、その軸心が一致するように形成されていて、内筒４１の内部空間には、後述するケース部材７の軸部７４が挿通される。また、外筒４２と内筒４１の間の筒状空間には、弾性部材３が配置される。なお、弾性部材３としては、例えば、圧縮ばねを用いてもよい。
【００３５】
外筒４２には、軸心方向に延びるように、スリット孔４４が設けられている。本実施の形態１においては、スリット孔４４が４つ設けられているため、外筒４２は、４つの壁部４２Ａ〜４２Ｄに分割されている。壁部４２Ｃの外周面には、第１ガイド部４３Ｃが設けられている。
【００３６】
第１ガイド部４３Ｃは、後述するケース部材７の第１ガイド溝７３Ｃに沿って摺動するように構成されている。同様に、壁部４２Ｄの外周面には、第１ガイド部４３Ｄが設けられている。第１ガイド部４３Ｄは、ケース部材７の第１ガイド溝７３Ｄに沿って摺動するように構成されている。これにより、昇降カム部材４は、第１ガイド溝７３Ｃ、７３Ｄにより、軸心方向（上下方向）への移動が案内され、周方向への移動が規制される。
【００３７】
また、昇降カム部材４の下面には、第１カム山４５Ａ〜４５Ｈが周方向に沿って立設されている。第１カム山４５Ａ〜４５Ｈは、それぞれ、第１傾斜面４５１Ａを有する第１山部４５１と、第２傾斜面４５２Ｂを有する第２山部４５２と、を有している。第１傾斜面４５１Ａは、後述する回転カム部材５の第３傾斜面５５３Ａと当接し、第２傾斜面４５２Ｂは、第４傾斜面５５４Ｂと当接するように構成されている。
【００３８】
なお、第１山部４５１の第１傾斜面４５１Ａは、矢印Ａに示す回転カム部材５の回転方向に進むに従って、上方から下方に向かう斜面である。同様に、第２山部４５２の第２傾斜面４５２Ｂは、矢印Ａに示す回転方向に進むに従って、下方から上方に向かう斜面である。
【００３９】
第１山部４５１は、第２山部４５２よりも外方に位置するように配設されている。換言すると、第１傾斜面４５１Ａが、第２傾斜面４５２Ｂよりも外方に位置するように形成されている。また、第１山部４５１と第２山部４５２は、その頂部が径方向において、連通するように形成されている。
【００４０】
また、第１山部４５１及び第２山部４５２は、第１傾斜面４５１Ａと昇降カム部材４の下面となす角度（第１傾斜面４５１Ａの傾斜角度）αが、第２傾斜面４５２Ｂと昇降カム部材４の下面となす角度（第２傾斜面４５２Ｂの傾斜角度）βよりも小さくなるように、形成されている。なお、第１傾斜面４５１Ａと昇降カム部材４の下面となす角度αを小さくすると、プッシュスイッチ１００を操作する際に、操作体２への押圧操作時の操作力を小さくすることができる。また、第１傾斜面４５１Ａと昇降カム部材４の下面となす角度αを大きくすると、操作体２への押圧操作時の操作力を大きくすることができる。
【００４１】
なお、本実施の形態１においては、第１山部４５１が、第２山部４５２よりも外方に位置する形態を採用したが、これに限定されない。例えば、第１山部４５１と第２山部４５２が同一円周上に配置されている形態を採用してもよい。
【００４２】
図２、図７、図８、及び図９に示すように、回転カム部材５は、円板部５１、第２ラチェット歯５４Ａ〜５４Ｈ、第２カム山５５Ａ〜５５Ｈ、及び当接部５６Ａ、５６Ｂを有していて、周方向に回転可能に構成されている。
【００４３】
円板部５１は、その軸心が昇降カム部材４の内筒４１及び壁部４２Ｄと軸心と一致するように形成されている。円板部５１の中心部には、貫通孔５２が設けられていて、貫通孔５２には、ケース部材７の軸部７４が挿通される。また、円板部５１の下面における、貫通孔５２の周縁部には、下方に延びるように筒部５７が設けられている。筒部５７は、可動接触部材６の上面と弾接するように構成されている。
【００４４】
第２ラチェット歯５４Ａ〜５４Ｈは、それぞれ、円板部５１の外周面から上方に延びるように形成されていて、周方向に沿って配設されている。また、第２ラチェット歯５４Ａ〜５４Ｈは、それぞれ、その上端面に下方から上方に向かって傾斜する傾斜面が形成されている。より詳細には、第２ラチェット歯５４Ａ〜５４Ｈのそれぞれに形成されている傾斜面は、矢印Ａに示す回転カム部材５の回転方向に進むに従って、下方から上方に向かって傾斜している。
【００４５】
また、第２ラチェット歯５４Ａ〜５４Ｈは、操作体２の第１ラチェット歯２４Ａ〜２４Ｄのいずれかと係合するように構成されている。なお、本実施の形態１においては、第２ラチェット歯を８つ設ける形態を採用したが、これに限定されず、第２ラチェット歯を１つ設ける形態であってもよく、第２ラチェット歯を２つ以上設ける形態を採用してもよい。
【００４６】
第２カム山５５Ａ〜５５Ｈは、それぞれ、円板部５１の上面に、周方向に沿って立設されている。第２カム山５５Ａ〜５５Ｈは、それぞれ、第３傾斜面５５３Ａを有する第３山部５５３と、第４傾斜面５５４Ｂを有する第４山部５５４と、を有している。なお、第３山部５５３の第３傾斜面５５３Ａは、矢印Ａに示す回転カム部材５の回転方向に進むに従って、上方から下方に向かう斜面である。同様に、第４山部５５４の第４傾斜面５５４Ｂは、矢印Ａに示す回転カム部材５の回転方向に進むに従って、下方から上方に向かう斜面である。
【００４７】
第３山部５５３は、第４山部５５４よりも外方に位置するように配設されている。換言すると、第３傾斜面５５３Ａが、第４傾斜面５５４Ｂよりも外方に位置するように形成されている。また、第３山部５５３と第４山部５５４は、その頂部が径方向において、連通するように形成されている。
【００４８】
また、第３山部５５３及び第４山部５５４は、第３傾斜面５５３Ａと円板部５１の上面となす角度（第３傾斜面５５３Ａの傾斜角度）γが、第４傾斜面５５４Ｂと円板部５１の上面となす角度（第４傾斜面５５４Ｂの傾斜角度）δよりも小さくなるように、形成されている。なお、第３傾斜面５５３Ａと円板部５１の上面となす角度γを小さくすると、プッシュスイッチ１００を操作する際に、操作体２への押圧操作時の操作力を小さくすることができる。また、第３傾斜面５５３Ａと円板部５１の上面となす角度γを大きくすると、操作体２への押圧操作時の操作力を大きくすることができる。
【００４９】
なお、本実施の形態１においては、第３山部５５３が、第４山部５５４よりも外方に位置する形態を採用したが、これに限定されない。例えば、第３山部５５３と第４山部５５４が同一円周上に配置されている形態を採用してもよい。
【００５０】
当接部５６Ａ、５６Ｂは、それぞれ、円板部５１の下面の外周近傍に設けられていて、円板部５１の径方向から見て、互いに対向するように配置されている。また、当接部５６Ａ、５６Ｂは、それぞれの下面が、矢印Ａに示す回転カム部材５の回転方向に進むに従って、下方から上方に向かうように傾斜している。これにより、当接部５６Ａ、５６Ｂは、それぞれ、後述する可動接触部材６の各押圧部６６Ａ〜６６Ｈのいずれかと接触して、接触部６３Ａ〜６３Ｈを下方に押し下げて、接触部６３Ａ〜６３Ｈと固定端子と接触させることができる。
【００５１】
図２及び図１０に示すように、可動接触部材６は、一対の半円状の板部材６１Ａ、６１Ｂを有していて、花冠状に形成されている。板部材６１Ａは、扇状の本体部６２Ａと花弁状の接触部６３Ａ〜６３Ｄを有している。同様に、板部材６１Ｂは、扇状の本体部６２Ｂと花弁状の接触部６３Ｅ〜６３Ｈを有している。
【００５２】
本体部６２Ａの内周面には、板部材６１Ａをケース部材７に固定するための固定部６７Ａが設けられている。また、本体部６２Ａの外周面には、接触部６３Ａ〜６３Ｄが周方向に沿って並設されている。同様に、本体部６２Ｂの内周面には、板部材６１Ｂをケース部材７に固定するための固定部６７Ｂが設けられている。また、本体部６２Ｂの外周面には、接触部６３Ｅ〜６３Ｈが周方向に沿って並設されている。
【００５３】
接触部６３Ａ〜６３Ｈのそれぞれの主面には、略Ｕ字状の切り欠きが形成されていて、当該切り欠きの矩形状の残余部分が、押圧部６６Ａ〜６６Ｈを構成している。押圧部６６Ａ〜６６Ｈは、それぞれ、その基端部が、回転カム部材５の回転方向における前方に位置していて、基端部から先端部に向かって、上方に傾斜している。そして、押圧部６６Ａ〜６６Ｈは、それぞれ、当接部５６Ａ又は当接部５６Ｂと当接することにより、接触部６３Ａ〜６３Ｈを下方に押し下げ、接触部６３Ａ〜６３Ｈが固定端子と接触するように構成されている。
【００５４】
なお、本実施の形態１においては、可動接触部材６を２つの板部材６１Ａ、６１Ｂで構成される形態を採用したが、これに限定されない。可動接触部材６を１つの板部材で構成される形態を採用してもよく、２つ以上の板部材で構成される形態を採用してもよい。
【００５５】
また、本実施の形態１においては、接触部を８つ有する形態を採用したが、これに限定されず、接触部を１つ有する形態を採用してもよく、複数の接触部を有する形態を採用してもよい。複数の接触部を有する場合には、例えば、接触部は、２つであってもよく、３つであってもよく、４つであってもよく、６つであってもよい。
【００５６】
図２及び図１１に示すように、ケース部材７は、その外観が略直方体状に形成されていて、その上部が開放されている。また、ケース部材７の内部空間は、略円柱状に形成されている。
【００５７】
ケース部材７の内周面には、上下方向に延びる第１ガイド溝７３Ａ〜７３Ｄが形成されている。より詳細には、上方から見て、第１ガイド溝７３Ａ〜７３Ｄは、それぞれ、ケース部材７の角部近傍に形成されている。第１ガイド溝７３Ａ及び第１ガイド溝７３Ｂは、ケース部材７の上面から底面にまで延びるように形成されていて、第１ガイド溝７３Ｃ及び第１ガイド溝７３Ｄは、ケース部材７の上面から上面と底面の中間部分にまで延びるように形成されている。
【００５８】
ケース部材７の底面における中心部には、軸部７４が立設されている。軸部７４は、上方から見て、略矩形状に形成されていて、一方の一対の側面が半円状に湾曲するように形成され、他方の一対の側面が直線状に形成されている。また、ケース部材７の底面における中心部には、上方から見て、軸部７４の他方の一対の側面を挟むように、スリット孔７８Ａ、７８Ｂが設けられている。
【００５９】
スリット孔７８Ａには、可動接触部材６の固定部６７Ａが嵌入されて、可動接触部材６の板部材６１Ａをケース部材７に固定させる。同様に、スリット孔７８Ｂには、可動接触部材６の固定部６７Ｂが嵌入されて、可動接触部材６の板部材６１Ｂをケース部材７に固定させる。
【００６０】
また、ケース部材７における底面の中心部には、軸部７４の一方の一対の側面を挟むように、共通固定端子７７Ａ、７７Ｂが配設されている。さらに、ケース部材７における底面の周縁部には、固定端子７６Ａ〜７６Ｆが周方向に沿って並設されている。固定端子７６Ａ〜７６Ｆ及び共通固定端子７７Ａ、７７Ｂは、それぞれ、コネクタ端子８〜１０及びコネクタ端子８〜１０と反対側の位置に設けられているコネクタ端子（図示せず）のいずれかのコネクタ端子と電気的に接続されている。
【００６１】
そして、共通固定端子７７Ａは、板部材６１Ａの本体部６２Ａと常時接触し、共通固定端子７７Ｂは板部材６１Ｂの本体部６２Ｂと常時接触していて、可動接触部材６の接触部６３Ａ〜６３Ｈが、各々対向する固定端子７６Ａ〜７６Ｆと上下方向に所定の間隔で離間していて、スイッチの接点構造が形成されている。
【００６２】
なお、上下方向から見て、固定端子７６Ａが、接触部６３Ａ（押圧部６６Ａ）と対向する位置に配置されており、固定端子７６Ｆが、接触部６３Ｇ（押圧部６６Ｇ）と対向する位置に配置されている。したがって、接触部６３Ｄ（押圧部６６Ｄ）と対向する位置には、固定端子が配置されておらず、同様に、接触部６３Ｈ（押圧部６６Ｈ）と対向する位置には、固定端子が配置されていない。このため、本実施の形態１においては、当接部５６Ａ、５６Ｂが、押圧部６６Ｄ、６６Ｈを押圧して、押圧部６６Ｄ、６６Ｈが下方に押し下がったときには、接触部６３Ｄ、６３Ｈは、コネクタ端子８〜１０等のいずれのコネクタ端子とも電気的に接続されず、スイッチがＯＦＦの状態になるように構成されている。
【００６３】
なお、本実施の形態１においては、固定端子７６Ａ〜７６Ｆを配置する形態を採用したが、これに限定されない。固定端子を１つ配置する形態を採用してもよく、固定端子を複数配置する形態を採用してもよい。
【００６４】
また、本実施の形態１においては、接触部６３Ｄ、６６Ｈ（押圧部６６Ｄ、６６Ｈ）に対向する位置に固定端子を配置しないことにより、スイッチがＯＦＦの状態となる形態を採用したが、これに限定されない。接触部６３Ｄ、６６Ｈ（押圧部６６Ｄ、６６Ｈ）に対向する位置に固定端子を配置し、当該固定端子をコネクタ端子８〜１０等のいずれのコネクタ端子とも電気的に接続させないことにより、スイッチがＯＦＦの状態となる形態を採用してもよい。
【００６５】
［プッシュスイッチの動作及び作用効果］
次に、本実施の形態１に係るプッシュスイッチ１００の動作及び作用効果について、図１〜図１９を参照しながら説明する。なお、上述したように、接触部６３Ｈ（押圧部６６Ｈ）の下方には、固定端子が配置されていないため、図１２〜図１９において、接触部６３Ｈ（押圧部６６Ｈ）の下方には、便宜上、固定端子に相当する部位を破線で示している。
【００６６】
以下の説明においては、操作体２の第１ラチェット歯２４Ａ及び当接部５６Ｂを中心に、プッシュスイッチ１００の動作を説明するが、第１ラチェット歯２４Ｂ等の第１ラチェット歯も第１ラチェット歯２４Ａと同様に動作し、当接部５６Ａも当接部５６Ｂと同様に動作する。
【００６７】
図１２〜図１９は、本実施の形態１に係るプッシュスイッチの動作を模式的に示す説明図である。なお、図１２及び図１９は、プッシュスイッチにおける操作体が最も上方に位置するときの状態（初期状態）を示し、図１６は、プッシュスイッチにおける操作体が最も下方に位置するときの状態（中間状態）を示している。
【００６８】
まず、図１２に示すように、プッシュスイッチ１００の操作体２が操作されていない状態において、操作体２は、弾性部材３の弾性力によって、上方に付勢されており、第１ラチェット歯２４Ａの上面がカバー部材１の下面と当接している。
【００６９】
また、昇降カム部材４は、弾性部材３の弾性力によって、下方に付勢されていて、第１カム山４５Ａの第１傾斜面４５１Ａと第２カム山５５Ａの第３傾斜面５５３Ａが係合（当接）している。なお、第１カム山４５Ａの第２傾斜面４５２Ｂは、第２カム山５５Ｂの第４傾斜面５５４Ｂと当接している。すなわち、昇降カム部材４の第１カム山４５Ａと回転カム部材５の２つの第２カム山５５Ａ、５５Ｂの間に形成される谷がかみ合って、回転カム部材５は、周方向への回転動作が規制されている。
【００７０】
このとき、操作体２における第１ラチェット歯２４Ａの頂部（下端面）と、回転カム部材５における第２ラチェット歯５４Ａの頂部（上端面）は、上下方向から見て、互いに重ならないように、かつ、第１ラチェット歯２４Ａの傾斜面と、第２ラチェット歯５４Ａの傾斜面と、が互いに重なるように、配置されている。また、当接部５６Ｂは、押圧部６６Ｈを押圧していて、接触部６３Ｈが下方に押し下げられている。なお、接触部６３Ｈの下方には、固定端子が配置されていないため、スイッチはＯＦＦの状態となっている。
【００７１】
そして、このような状態にあるプッシュスイッチ１００を操作者が直接、又は図示されないアクチュエータ等が、操作体２の頭部２１を下方に押圧したとする。すると、図１３に示すように、操作体２が下方に移動して、第１ラチェット歯２４Ａの傾斜面と第２ラチェット歯５４Ａの傾斜面とが係合（当接）する。
【００７２】
操作体２が、更に下方に移動すると、第１ラチェット歯２４Ａの傾斜面と第２ラチェット歯５４Ａの傾斜面との係合により、第２ラチェット歯５４Ａが、上方から見て、反時計回り（図１３においては、右方向）に移動するように付勢される。
【００７３】
これにより、回転カム部材５が、反時計回りに回転移動する。このとき、昇降カム部材４は、第１傾斜面４５１Ａと第３傾斜面５５３Ａとが当接しているため、回転カム部材５の回転移動と共に、昇降カム部材４も反時計回りに移動するように付勢される。昇降カム部材４は、上述したように、回転方向への移動が規制されているため、回転カム部材５の回転に追随して、回転することができない。
【００７４】
このため、図１４に示すように、回転カム部材５の回転移動に伴って、昇降カム部材４は、弾性部材３の弾性力に抗して、上方（操作体２の押圧方向の反対方向）に移動する。このとき、第１カム山４５Ａは、第２カム山５５Ａの第３傾斜面５５３Ａに沿って、上方に移動する。
【００７５】
また、回転カム部材５の回転移動に伴って、当接部５６Ｂも回転移動するため、当接部５６Ｂは、押圧部６６Ｈとの当接が解除される。
【００７６】
そして、図１５に示すように、第１カム山４５Ａの第１山部４５１と第２山部４５２の頂部が、第２カム山５５Ａの第３山部５５３と第４山部５５４の頂部を超えて、第１傾斜面４５１Ａが第３傾斜面５５３Ａから離間すると、弾性部材３の弾性力により、昇降カム部材４が下方に移動する。
【００７７】
これにより、第１カム山４５Ａの第２傾斜面４５２Ｂと第２カム山５５Ａの第４傾斜面５５４Ｂとが係合（当接）する。回転カム部材５は、操作体２の下方への押圧とともに、昇降カム部材４の弾性部材３による下方への付勢により、第２カム山５５Ａが第２傾斜面４５２Ｂの傾斜面に沿って、反時計回りにより回転移動する。
【００７８】
次に、図１６に示すように、操作体２が最下方にまで押圧されると、第１ラチェット歯２４Ａの傾斜面が、第２ラチェット歯５４Ａの傾斜面から離間され、第１ラチェット歯２４Ａは、その側面が第２ラチェット歯５４Ｈの側面と係合（当接）する。そして、回転カム部材５は、初期状態から操作体２が最下方にまで押圧される（中間状態）と、第１所定角度分だけ回転移動する。
【００７９】
なお、第１所定角度は、第２カム山の配設数と、第３傾斜面５５３Ａと円板部５１の上面となす角度γと、第４傾斜面５５４Ｂと円板部５１の上面となす角度δと、により、適宜設定される。例えば、本実施の形態１においては、第２カム山が８つ配設されていて、第２カム山が円周上に均等に配置されているとすると、２つの第２カム山間の角度は、４５度となる。
【００８０】
次に、図１７に示すように、操作体２の下方への押圧が解除されると、弾性部材３の弾性力により、操作体２が上方に移動する。このとき、操作体２は、第１ラチェット歯２４Ａの側面が第２ラチェット歯５４Ｈの側面と摺動しながら上方に移動する。
【００８１】
なお、回転カム部材５は、第２ラチェット歯５４Ｈが第１ラチェット歯２４Ａと当接していることにより、その回転移動が規制される。また、昇降カム部材４は、回転カム部材５の回転移動が規制されているため、上下方向への移動が規制される。
【００８２】
次に、図１８に示すように、第１ラチェット歯２４Ａの側面が第２ラチェット歯５４Ｈの側面から離間すると、回転カム部材５が回転可能となり、それに伴い、昇降カム部材４も上下方向への移動が可能となる。
【００８３】
このため、昇降カム部材４は、弾性部材３の弾性力により、下方に移動する。また、回転カム部材５は、昇降カム部材４の下方への移動に伴い、第２カム山５５Ａが第１カム山４５Ａの第２傾斜面４５２Ｂに沿って、反時計回りにより回転移動する。また、回転カム部材５の回転移動に伴って、当接部５６Ｂも回転移動して、当接部５６Ｂは、押圧部６６Ａと当接する。
【００８４】
そして、図１９に示すように、操作体２が元の位置にまで上方に移動し、第１カム山４５Ａの第１傾斜面４５１Ａが、第２カム山５５Ｈの第４傾斜面５５４Ｂと係合するまで、回転カム部材５は回転移動する。第１カム山４５Ａの第１傾斜面４５１Ａが、第２カム山５５Ｈの第４傾斜面５５４Ｂと係合すると、第１カム山４５Ａの第２傾斜面４５２Ｂは、第２カム山５５Ｂの第４傾斜面５５４Ｂと係合する。すなわち、第１カム山４５Ａは、第２カム山５５Ｈ、５５Ａで形成される谷とかみ合う。これにより、回転カム部材５の回転移動が規制される。
【００８５】
また、中間状態から操作体２が元の位置にまで上方に移動すると、回転カム部材５は、第２所定角度分だけ回転移動する。なお、第２所定角度は、第１所定角度よりも小さい角度であり、第２カム山の配設数と、第３傾斜面５５３Ａと円板部５１の上面となす角度γと、第４傾斜面５５４Ｂと円板部５１の上面となす角度δと、により、適宜設定される。
【００８６】
さらに、回転カム部材５の回転移動に伴い、当接部５６Ｂは、押圧部６６Ａを下方に押圧することにより、押圧部６６Ａが接触部６３Ａを下方に押し下げて、接触部６３Ａを固定端子７６Ａと接触させる。これにより、接触部６３Ａが、コネクタ端子８〜１０等のいずれかのコネクタ端子と電気的に接続され、これらのコネクタ端子と接続されている電気機器に電気が供給され、スイッチがＯＮ状態となる。
【００８７】
このように構成された、本実施の形態１に係るプッシュスイッチ１００では、１つの弾性部材３を備えているため、上記特許文献１に開示されているプッシュスイッチ装置に比して、部品数を低減することができ、簡易な構造となり、低コストを図ることができる。
【００８８】
また、本実施の形態１に係るプッシュスイッチ１００では、操作体２を中間状態で維持することにより、当接部５６Ａ、５６Ｂが、押圧部６６Ａ〜６６Ｈのいずれとも接触していない状態を維持することができる。
【００８９】
これにより、当接部５６Ａ、５６Ｂを押圧部６６Ｄ、６６Ｈの位置にまで回転移動させなくても、スイッチをＯＦＦ状態にすることができる。このため、プッシュスイッチ１００の操作者等のユーザビリティを向上させることができる。
【００９０】
また、本実施の形態１に係るプッシュスイッチ１００では、昇降カム部材４の第１傾斜面４５１Ａが第２傾斜面４５２Ｂよりも傾斜角度が小さくなるように形成されている。このため、操作体２を押圧操作して、初期状態から中間状態に至る途中までにおいて、昇降カム部材４の第１カム山と回転カム部材５の第２カム山との弾接により生じる、回転カム部材５を所定方向へ回転させるのに必要とする回転モーメントを小さくすることができる。これにより、操作体２への押圧操作時の操作力を小さくすることができる。
【００９１】
同様に、本実施の形態１に係るプッシュスイッチ１００では、回転カム部材５の第３傾斜面５５３Ａが第４傾斜面５５４Ｂよりも傾斜角度が小さくなるように形成されている。このため、操作体２を押圧操作して、初期状態から中間状態に至る途中までにおいて、昇降カム部材４の第１カム山と回転カム部材５の第２カム山との弾接により生じる、回転カム部材５を所定方向へ回転させるのに必要とする回転モーメントを小さくすることができる。これにより、操作体２への押圧操作時の操作力を小さくすることができる。
【００９２】
また、本実施の形態１に係るプッシュスイッチ１００では、昇降カム部材４の第２傾斜面４５２Ｂが第１傾斜面４５１Ａよりも傾斜角度が大きくなるように形成されているため、中間状態から初期状態に戻るまでの昇降カム部材４及び回転カム部材５の移動速度を大きくすることができる。
【００９３】
このため、当接部を介して可動接触部材６の接触部と固定端子との接触の速度が速くなる。これにより、例えば、約０．２Ａ以上の比較的大きい電流が可動接触部材６の接触部と固定端子の閉接時に流れるような場合であっても、アークを生じ難くすることができる。したがって、接触部及び固定端子の消耗及び損傷を少なくすることができ、安定した接触で信頼性の高いスイッチ動作を有するプッシュスイッチを実現することができる。
【００９４】
同様に、本実施の形態１に係るプッシュスイッチ１００では、回転カム部材５の第４傾斜面５５４Ｂが第３傾斜面５５３Ａよりも傾斜角度が大きくなるように形成されている。このため、当接部を介して可動接触部材６の接触部と固定端子との接触又は離間の速度を速くすることができる。
【００９５】
これにより、約０．２Ａ以上の比較的大きい電流が可動接触部材６の接触部と固定端子の閉接時に流れるような場合であっても、アークを生じ難くすることができる。したがって、接触部及び固定端子の消耗及び損傷を少なくすることができ、安定した接触で信頼性の高いスイッチ動作を有するプッシュスイッチを実現することができる。
【００９６】
また、本実施の形態１に係るプッシュスイッチ１００では、昇降カム部材４の第１傾斜面４５１Ａが第２傾斜面４５２Ｂよりも外周側に配置されている。このため、第１カム山の高さを所定の一定の高さに設定した場合、第１傾斜面４５１Ａを外周側に配置することにより、第１傾斜面４５１Ａの傾斜角度をより小さくできると共に、第２傾斜面４５２Ｂを第１傾斜面４５１Ａより内周側に配置することによって、第２傾斜面４５２Ｂの傾斜角度をより大きくすることができ、各々所望の傾斜角度に設定することができる。これにより、プッシュスイッチ１００の設計の自由度を向上させることができる。
【００９７】
同様に、本実施の形態１に係るプッシュスイッチ１００では、回転カム部材５の第３傾斜面５５３Ａが第４傾斜面５５４Ｂよりも外周側に配置されている。このため、第２カム山の高さを所定の一定の高さに設定した場合、第３傾斜面５５３Ａを外周側に配置することでより、第３傾斜面５５３Ａの傾斜角度をより小さくできると共に、第４傾斜面５５４Ｂを第３傾斜面５５３Ａより内周側に配置することによって、第４傾斜面５５４Ｂの傾斜角度をより大きくすることができ、各々所望の傾斜角度を設定することができる。これにより、プッシュスイッチ１００の設計の自由度を向上させることができる。
【００９８】
さらに、本実施の形態１に係るプッシュスイッチ１００では、複数の接触部を有する可動接触部材６を、複数の固定端子を上面に形成したケース部材７に固定すると共に、可動接触部材６の接触部とケース部材７の固定端子を所定の間隔で対向するように配置している。そして、操作体２の押圧操作に応じて、回転カム部材５を回転させ、回転カム部材５の回転に応じて、下方の可動接触部６の接触部を固定端子に接触させて、スイッチ部を構成している。
【００９９】
これにより、例えば、ブラシ接触子などの可動接触部材を回転カム部材に固定して、ケースの上面に形成した複数の固定端子に可動接触部材の接触部が弾接した状態で、回転カム部材の回転に伴い、接触部と複数の固定端子と順次、接離する構成のスイッチ装置に比べ、スイッチＯＮ-ＯＦＦ回数に対し、一つの接触部における電流開閉の頻度が少なくなるため、スイッチ装置の操作に伴うスイッチ部の開閉寿命が長くなり、信頼性の高いプッシュスイッチを実現することができる。
【０１００】
上記説明から、当業者にとっては、本発明の多くの改良や他の実施形態が明らかである。したがって、上記説明は、例示としてのみ解釈されるべきであり、本発明を実行する最良の態様を当業者に教示する目的で提供されたものである。本発明の要旨を逸脱することなく、その構造及び／又は機能の詳細を実質的に変更できる。また、上記実施形態に開示されている複数の構成要素の適宜な組合せにより種々の発明を形成できる。
【産業上の利用可能性】
【０１０１】
本発明に係るプッシュスイッチは、部品数を低減することにより、簡易な構造となり、低コストを図ることができるため、有用である。
【符号の説明】
【０１０２】
１  カバー部材
１Ａ  足部
１Ｂ  足部
１Ｃ  底部
１Ｄ  切り欠き部
１Ｅ  貫通孔
２  操作体
３  弾性部材
４  昇降カム部材
５  回転カム部材
６  可動接触部材
７  ケース部材
８  コネクタ端子
９  コネクタ端子
１０  コネクタ端子
２１  頭部
２２  本体部
２２Ａ  第２ガイド溝
２３Ａ  第１ガイド部
２３Ｂ  第１ガイド部
２４Ａ  第１ラチェット歯
２４Ｂ  第１ラチェット歯
２４Ｃ  第１ラチェット歯
２４Ｄ  第１ラチェット歯
４１  内筒
４２  外筒
４２Ａ  壁部
４２Ｂ  壁部
４２Ｃ  壁部
４２Ｄ  壁部
４３Ｃ  第１ガイド部
４３Ｄ  第１ガイド部
４４  スリット孔
４５Ａ  第１カム山
４５Ｂ  第１カム山
４５Ｃ  第１カム山
４５Ｄ  第１カム山
４５Ｅ  第１カム山
４５Ｆ  第１カム山
４５Ｇ  第１カム山
４５Ｈ  第１カム山
５１  円板部
５２  貫通孔
５４Ａ  第２ラチェット歯
５４Ｂ  第２ラチェット歯
５４Ｃ  第２ラチェット歯
５４Ｄ  第２ラチェット歯
５４Ｅ  第２ラチェット歯
５４Ｆ  第２ラチェット歯
５４Ｇ  第２ラチェット歯
５４Ｈ  第２ラチェット歯
５５Ａ  第２カム山
５５Ｂ  第２カム山
５５Ｃ  第２カム山
５５Ｄ  第２カム山
５５Ｅ  第２カム山
５５Ｆ  第２カム山
５５Ｇ  第２カム山
５５Ｈ  第２カム山
５６Ａ  当接部
５６Ｂ  当接部
６１Ａ  板部材
６１Ｂ  板部材
６２Ａ  本体部
６２Ｂ  本体部
６３Ａ  接触部
６３Ｂ  接触部
６３Ｃ  接触部
６３Ｄ  接触部
６３Ｅ  接触部
６３Ｆ  接触部
６３Ｇ  接触部
６３Ｈ  接触部
６６Ａ  押圧部
６６Ｂ  押圧部
６６Ｃ  押圧部
６６Ｄ  押圧部
６６Ｅ  押圧部
６６Ｆ  押圧部
６６Ｇ  押圧部
６６Ｈ  押圧部
６７Ａ  固定部
６７Ｂ  固定部
７１  係合突起部
７３Ａ  第１ガイド溝
７３Ｂ  第１ガイド溝
７３Ｃ  第１ガイド溝
７３Ｄ  第１ガイド溝
７４  軸部
７６Ａ  固定端子
７６Ｂ  固定端子
７６Ｃ  固定端子
７６Ｄ  固定端子
７６Ｅ  固定端子
７６Ｆ  固定端子
７７Ａ  共通固定端子
７７Ｂ  共通固定端子
７８Ａ  スリット孔
７８Ｂ  スリット孔
１００  プッシュスイッチ
２２０Ａ  周面
４５１  第１山部
４５１Ａ  第１傾斜面
４５２  第２山部
４５２Ｂ  第２傾斜面
５５３  第３山部
５５３Ａ  第３傾斜面
５５４  第４山部
５５４Ｂ  第４傾斜面
【図１】
2019071166.tif 000003
【図２】
2019071166.tif 000004
【図３】
2019071166.tif 000005
【図４】
2019071166.tif 000006
【図５】
2019071166.tif 000007
【図６】
2019071166.tif 000008
【図７】
2019071166.tif 000009
【図８】
2019071166.tif 000010
【図９】
2019071166.tif 000011
【図１０】
2019071166.tif 000012
【図１１】
2019071166.tif 000013
【図１２】
2019071166.tif 000014
【図１３】
2019071166.tif 000015
【図１４】
2019071166.tif 000016
【図１５】
2019071166.tif 000017
【図１６】
2019071166.tif 000018
【図１７】
2019071166.tif 000019
【図１８】
2019071166.tif 000020
【図１９】
2019071166.tif 000021